(57)【特許請求の範囲】
【請求項１】
棒状光源からの光を原稿上に走査し、この原稿を固体撮像素子で読取る画像読取装置であって、
前記光源から直接原稿へ照射されない光を反射させて再度原稿上へ照射するように前記光源に対向して、その周りに配設された複数の平面鏡部又は曲面鏡部より成るリフレクタと、
該リフレクタの複数の平面鏡部又は曲面鏡部の境界部に設けられたスリット孔から挿通され、該リフレクタの複数の平面鏡部又は曲面鏡部の内の少なくとも１つに対向して配設された、前記平面鏡部又は曲面鏡部により反射された反射光の原稿への照射を制限するための配光制限部材とを備え、
前記配光制限部材は、前記光源の長手方向において複数個に分割され、前記平面鏡部又は曲面鏡部に対する配設位置が各々調整可能とされたことを特徴とする画像読取装置。
【請求項２】
前記複数個に分割された配光制限部材は各々、前記光源の長手方向に直交する方向に、前記リフレクタの前記平面鏡部又は曲面鏡部に対する配設位置が調整可能であることを特徴とする請求項１記載の画像読取装置。
【請求項３】
前記複数個に分割された配光制限部材は各々、前記リフレクタの前記平面鏡部又は曲面鏡部に対する配設角度が調整可能であることを特徴とする請求項１又は請求項２記載の画像読取装置。
【発明の詳細な説明】
【０００１】
【発明の属する技術分野】
本発明は、光源からの光をスリット光を介して原稿へ照射し、この原稿を固体撮像素子で読み取る画像読取装置に関する。
【０００２】
【従来の技術及び発明が解決しようとする課題】
原稿画像に光を照射し、その反射又は透過光をレンズを介して固体撮像素子（ＣＣＤセンサ）へ案内し、撮像する画像読取光学系において、前記光を主走査方向を長手方向とするスリット光とし、このスリット光を副走査方向へ移動させながら、原稿画像を読み取るようになっている。
【０００３】
スリット光の長手方向、すなわち、主走査方向では、光量が一定であることが望ましく、この主走査方向の光量にむらが生じていると、固体撮像素子による読取むらが発生する。
【０００４】
このため、光源から直接原稿へ向かう光束を遮蔽板等で一部を遮蔽することがなされているが、この遮蔽板による光量制御は、元の光量が大きいため（直接原稿に向かう光束全てが制御対象であるため）、微妙な光量制御には不向きである。
【０００５】
本発明は上記事実を考慮し、スリット光の長手方向の光量変化を微調整することができ、固体撮像装置による読取精度を向上することができる画像読取装置を得ることが目的である。
【０００６】
【課題を解決するための手段】
請求項１に記載の発明は、棒状光源からの光を原稿上に走査し、この原稿を固体撮像素子で読取る画像読取装置であって、前記光源から直接原稿へ照射されない光を反射させて再度原稿上へ照射するように前記光源に対向して、その周りに配設された複数の平面鏡部又は曲面鏡部より成るリフレクタと、該リフレクタの複数の平面鏡部又は曲面鏡部の境界部に設けられたスリット孔から挿通され、該リフレクタの複数の平面鏡部又は曲面鏡部の内の少なくとも１つに対向して配設された、前記平面鏡部又は曲面鏡部により反射された反射光の原稿への照射を制限するための配光制限部材とを備え、前記配光制限部材は、前記光源の長手方向において複数個に分割され、前記平面鏡部又は曲面鏡部に対する配設位置が各々調整可能とされたことを特徴としている。
【０００７】
請求項１に記載の発明によれば、リフレクタは、複数の平面鏡部又は曲面鏡部で構成されており、配光制限部材は、その平面鏡部又は曲面鏡部の境界部に設けられたスリット孔から挿通されるので、その平面鏡部又は曲面鏡部の少なくとも１つに対向して配光制限部材が配置可能となっている。すなわち、各平面鏡部又は曲面鏡部が制御する光量は、光源からの全光量の一部に過ぎず、この少ない光量毎に配光制限部材で制御することができるため、微調整が容易となる。また、配光制限部材は、スリット光を生成する棒状の光源の長手方向に分割され、それぞれを独立して光束上に配置又は退避させることができるため、この長手方向の光量変動を抑制することができ、固体撮像素子による画像読取精度を向上することができる。
【０００８】
請求項２に記載の発明は、前記複数個に分割された配光制限部材は各々、前記光源の長手方向に直交する方向に、前記リフレクタの前記平面鏡部又は曲面鏡部に対する配設位置が調整可能であることを特徴としている。
【０００９】
請求項２に記載の発明によれば、平面鏡部又は曲面鏡部による反射光（光束）の一部又は全部を原稿に案内するか否かを選択できるので、細かい光量調整が可能となる。
【００１０】
請求項３に記載の発明は、前記複数個に分割された配光制限部材は各々、前記リフレクタの前記平面鏡部又は曲面鏡部に対する配設角度が調整可能であることを特徴としている。
【００１１】
請求項３に記載の発明によれば、前記配光制限部材を回転可能とし、各平面鏡部による反射光（光束）の一部又は全部を原稿に案内するか否かを選択できるという前記請求項２と同様の機能を持つ。
【００１２】
【発明の実施の形態】
図１には、本発明の実施の形態に係る画像読取／記録装置１０の概略全体構成図が示されている。
【００１３】
この画像読取／記録装置１０は、画像読取部であるスキャナ部ＳＣＮと、画像を記録するプリンタ部ＰＲＴと、で構成されており、機台１２上にスキャナ部ＳＣＮが配設されている。また、プリンタ部ＰＲＴは、機台１２の内部に配設されている。
（スキャナ部ＳＣＮ）
図１には、本実施の形態に係るスキャナ部ＳＣＮが示されている。
【００１４】
スキャナ部ＳＣＮの箱型のケーシング２００によって被覆されており、上面中央部には、矩形の開口部が設けられ、透明のプラテンガラス２０２が嵌め込まれている。プラテンガラス２０２は、平面原稿載置台としての機能を有し、その上には、平面画像を記録した反射原稿、或いは透過原稿が載置されるようになっている。
【００１５】
図２に示される如く、プラテンガラス２０２上には、開閉可能な押さえカバー２０４が設けられている。この押さえカバー２０４は、ケーシング２００の奥側に設けられた光源ユニット駆動部２３４のカバー２３４Ａにピン２０４Ａを介して取り付けられている。押さえカバー２０４にはヒンジ部２０４Ｂが設けられ、このヒンジ部２０４Ｂを中心に回動可能となっている。
【００１６】
従って、反射原稿の場合には、この押さえカバー２０４の閉止状態では、原稿を上からプラテンガラス２０２の方向に押圧保持することができる。
【００１７】
光源ユニット駆動部２３４には、プラテンガラス２０２に向けられた側の側面に図１の左右方向を長手方向とするスリット状の切欠部４００が形成されている。
【００１８】
この切欠部４００からはアーム部（図示省略）がプラテンガラス２０２方向に延出されている。このアーム部に、透過原稿走査ユニット２３２が連結されており、プラテンガラス２０２上を図１の左端から右端へと往復移動するようになっている。なお、この透過原稿走査ユニット２３２は、前記押さえカバー２０４の使用時には、プラテンガラス２０２よりもさらに図１の左側に退避されている。
【００１９】
透過原稿走査部２３２には、光源としてのハロゲンランプ４０４及びリフレクタ４０６を備えた照明ユニットとしての透過原稿用光源ユニット４０８が設けられている。この透過原稿用光源ユニット４０８は、プラテンガラス２０２の幅方向に（図１の手前から奥側にかけて）照射するようになっており、プラテンガラス２０２に原稿が載置されたときの主走査方向となる。
【００２０】
ここで、この透過原稿用光源ユニット４０８は、プラテンガラス２０２に透過原稿が載置されたときに適用されるものであり、この場合は、前記押さえカバー２０４を開放状態とし、透過原稿走査部２３２の移動空間から退避させておく。
【００２１】
ケーシング２００の上面手前側には、図示しない操作／表示パネルが配設され、各種の機能の指示、また装置内の動作状態の表示等がなされるようになっている。
【００２２】
ケーシング２００内には、走査部２０８が配設されている。走査部２０８は、コントローラ２０９によって制御される。この走査部２０８は、原稿画像の幅方向（主走査方向）に延出されたハロゲンランプ及びリフレクタを備えた反射原稿用反射原稿用光源ユニット２１０、この反射原稿用光源ユニット２１０と共に原稿画像の幅方向に延出された第１のミラー２１２が組み込まれた第１のキャリッジ２１４と、第２のミラー２１６及び第３のミラー２１８が組み込まれた第２のキャリッジ２２０と、絞り２２２、色調整フィルタ及びＮＤフィルタ等で４枚構成とされるフィルタ群２２４、結像のためのレンズ２２６によって構成される固定ユニット２２８と、で構成されている。
【００２３】
第１のキャリッジ２１４では、反射原稿用光源ユニット２１０からの光をプラテンガラス２０２面上に載置された原稿に照射し、その反射光（垂下する光軸の光）を第１のミラー２１２で９０°偏向し、第２のキャリッジ２２０の第２のミラー２１６へ案内する役目を有する。また、第１のキャリッジ２１４の第１のミラー２１２は、前記透過原稿用光源ユニット４０８から照射され、透過原稿を通過した透過光を第２のミラー２１６へ案内するようになっている。
【００２４】
第２のキャリッジ２２０では、第２のミラー２１６の反射面が前記第１のミラー２１２と対向し、かつ平行な状態とされており、第１のミラー２１２から光を受けると、第２のミラー２１６で９０°偏向し、さらに第３のミラー２１８で９０°偏向する。
【００２５】
この第３のミラー２１８で最終的にプラテンガラス２０２の面と平行とされた光は、固定ユニット２２８を経て、ＣＣＤラインセンサ２３０の受光部へと至るようになっている。なお、本実施の形態のＣＣＤラインセンサ２３０の受光部は、各色（ＲＧＢ）毎に独立して受光量を検出する３本のラインで構成されている。
【００２６】
この固定ユニット２２８では、絞り２２２やフィルタ群２２４のＮＤフィルタによって光量の調整が行われ、フィルタ群２２４の色調整フィルタによって各色バランスの調整が行われる。また、レンズ２２６によって、原稿画像がＣＣＤラインセンサ２３０の受光面上で結像する構成となっている。なお、色調整フィルタのレンズ表面には、ＩＲカットフィルタに相当するＩＲカット膜が蒸着されている。
【００２７】
第１のキャリッジ２１４及び第２のキャリッジ２２０は、プラテンガラス２０２の下方で原稿面に沿って副走査方向に往復移動する。このとき、原稿反射（又は透過）位置からＣＣＤラインセンサ２３０の受光部までの光路長を常に一定に維持するべく、第２のキャリッジ２２０が第１のキャリッジ２１４の１／２の搬送速度で同一方向へ移動するようになっている。この第１のキャリッジ２１４及び第２のキャリッジ２２０の１往復動作が１画像分の走査であり（往路時に画像読取）、これにより、プラテンガラス２０２上の原稿画像を読み取ることができる。
【００２８】
なお、前記透過原稿走査部２３２は、光源ユニット駆動部２３４の駆動力により、前記第１のキャリッジ２１４と同等の動作を行う。すなわち、透過原稿を走査する場合には、第１のキャリッジ２１４と同期がとられて透過原稿走査部２３２が動作する。このとき、第１のキャリッジ２１４の反射原稿用光源ユニット２１０は消灯しておき、透過原稿走査部２３２内の透過原稿用光源ユニット４０８のハロゲンランプ４０４が点灯することにより、第１のミラー２１２で透過原稿画像を得ることができる。その後の動作は、反射原稿の場合と同様である。
【００２９】
ここで、図３に示される如く、透過原稿用光源ユニット４０８を構成するリフレクタ４０６は、その内周面が複数の平面鏡部４１０が連続した構造となっている。各平面鏡部４１０には、ハロゲンランプ４０４（第１焦点）からの光が入射し、第２焦点である、透過原稿面上に集光するようになっている。また、この透過原稿面上の近傍には、スリット板４２０が配設され、所定幅のスリット光が透過原稿へ案内されるようになっている。
【００３０】
この第２焦点には、ハロゲンランプ４０４から直接入射する光と、リフレクタ４０６の平面鏡部４１０で反射して入射する光と、が合成され、ハロゲンランプ４０４からの光を無駄なく利用することができる。
【００３１】
本実施の形態のリフレクタ４０６は、その内周面が放物面や円弧面等の連続した鏡面ではなく、平面鏡部４１０の集合体であるため、各平面鏡部４１０毎に光束が分割されるようになっている。
【００３２】
この平面鏡部４１０の内、リフレクタ４０６の開口側から２番目の平面鏡部４１０には、配光制限部材としての配光制限板４１２が対応配置されている。
【００３３】
図３及び図４に示される如く、配光制限板４１２は、略Ｌ字型に屈曲されて略１００°前後の鈍角の挟角を持つ一対の平板部４１２Ａ、４１２Ｂが形成されている。
【００３４】
リフレクタ４０６における前記開口側から１番目と２番目との境界部には、ハロゲンランプ４０４の長手方向に沿ってスリット孔４１４が設けられ、このスリット孔４１４に前記配光制限板４１２が挿通されている。この配光制限板４１２は、ハロゲンランプ４０４の長手方向に沿って複数個配列されている。
【００３５】
この配光制限板４１２のリフレクタ４０６から外側に突出された平板部４１２Ｂの図３の下面には、リフレクタ４０６の外側面から突出されたフランジ４１５が対向しており、ビス４１７によって配光制限板４１２がフランジ４１５に固定されている。
【００３６】
ここで、ビス４１７を取り外すことにより、配光制限板４１２は容易に着脱可能となっており、配光制限板４１２をスリット孔４１４から抜き出して排除することも可能となっている。
【００３７】
この配光制限板４１２を配置すると、これに対応する平面鏡部４１０からの反射光束が原稿へと至らず、その分、光量を減じることができる。
【００３８】
このような光量調整を、ハロゲンランプ４０４の長手方向に沿って設けられた配光制限板４１２毎にハロゲンランプ４０４の長手方向の光量むらに応じて調整することにより、主走査方向における光量むらを排除し、結果としてＣＣＤラインセンサ２３０による画像読取むらを解消することができる。
（プリンタ部ＰＲＴ）
図１及び図２には、画像読取／記録装置１０の機台１２内のプリンタ部ＰＲＴが示されている。
【００３９】
機台１２の内部には、感光材料１６を収納する感材マガジン１４が配置されており、感材マガジン１４から引き出されたこの感光材料１６の感光（露光）面が左方へ向くように感光材料１６が感材マガジン１４にロール状に巻き取られている。
【００４０】
感材マガジン１４の感光材料取出し口の近傍には、ニップローラ１８およびカッタ２０が配置されており、感材マガジン１４から感光材料１６を所定長さ引き出した後に切断することができる。カッタ２０は、例えば固定刃と移動刃から成るロータリータイプのカッタとされており、移動刃を回転カム等によって上下に移動させて固定刃と噛み合わせ感光材料１６を切断することができる。
【００４１】
カッタ２０の側方には、複数の搬送ローラ２４、２６、２８、３０、３２、３４が順に配置されており、各搬送ローラの間には図示しないガイド板が配設されている。所定長さに切断された感光材料１６は、まず搬送ローラ２４、２６の間に設けられた露光部２２へ搬送される。
【００４２】
この露光部２２の左側には露光装置３８が設けられている。露光装置３８には、３種のＬＤ、レンズユニット、ポリゴンミラー、ミラーユニットが配置されており（何れも、図示省略）、露光装置３８から光線Ｃが露光部２２に送られて、感光材料１６が露光されるようになっている。
【００４３】
なお、ＬＤをポリゴンミラーで振り子の如く走査する構成を用いず、ＬＥＤを主走査方向に配列して１ラインを同時に露光する構成であってもよい。
【００４４】
さらに、露光部２２の上方には、感光材料１６をＵ字状に湾曲させて搬送するＵターン部４０及び画像形成用溶媒を塗布する為の水塗布部５０が設けられている。尚、本実施の形態において画像形成用溶媒としては水が用いられる。
【００４５】
感材マガジン１４から上昇し露光部２２にて露光された感光材料１６は、搬送ローラ２８、３０によりそれぞれ挟持搬送されてＵターン部４０の上側寄りの搬送経路を通過しつつ水塗布部５０へ送り込まれる。
【００４６】
一方、図１に示すように、機台１２内の左上端部には受像材料１０８を収納する受材マガジン１０６が配置されている。この受像材料１０８の画像形成面には媒染剤を有する色素固定材料が塗布されており、受材マガジン１０６から引き出さ５た受像材料１０８の画像形成面が下方へ向くように受像材料１０８が受材マガジン１０６にロール状に巻き取られている。
【００４７】
受材マガジン１０６の受像材料取出し口の近傍には、ニップローラ１１０が配置されており、受材マガジン１０６から受像材料１０８を引き出すと共にそのニップを解除することができる。
【００４８】
ニップローラ１１０の側方にはカッタ１１２が配置されている。カッタ１１２は前述の感光材料用のカッタ２０と同様に、例えば固定刃と移動刃から成るロータリータイプのカッタとされており、移動刃を回転カム等によって上下に移動させて固定刃と噛み合わせることにより、受材マガジン１０６から引き出された受像材料１０８を感光材料１６よりも短い長さに切断するようになっている。
【００４９】
カッタ１１２の側方には、搬送ローラ１３２、１３４、１３６、１３８及び図示しないガイド板が配置されており、所定長さに切断された受像材料１０８を熱現像転写部１２０側に搬送できるようになっている。
【００５０】
図１に示す如く、熱現像転写部１２０は、それぞれ複数の巻き掛けローラ１４０に巻き掛けられて、それぞれ上下方向を長手方向としたループ状にされた一対の無端ベルト１２２、１２４を有している。従って、これらの巻き掛けローラ１４０のいずれかが駆動回転されると、これらの巻き掛けローラ１４０に巻き掛けられた一対の無端ベルト１２２、１２４がそれぞれ回転される。
【００５１】
これら一対の無端ベルト１２２、１２４の内の図上、右側の無端ベルト１２２のループ内には、上下方向を長手方向とした平板状に形成された加熱板１２６が、無端ベルト１２２の左側の内周部分に対向しつつ配置されている。この加熱板１２６の内部には、図示しない線状のヒータが配置されており、このヒータによって加熱板１２６の表面を昇温して所定の温度に加熱できるようになっている。
【００５２】
従って、感光材料１６は、搬送経路の最後の搬送ローラ３４により熱現像転写部１２０の一対の無端ベルト１２２、１２４間に送り込まれる。また、受像材料１０８は感光材料１６の搬送に同期して搬送され、感光材料１６が所定長さ先行した状態で、搬送経路の最後の搬送ローラ１３８により熱現像転写部１２０の一対の無端ベルト１２２、１２４間に送り込まれて、感光材料１６に重ね合わせられる。
【００５３】
この場合、受像材料１０８は感光材料１６よりも幅方向寸法および長手方向寸法がいずれも小さい寸法となっているため、感光材料１６の周辺部は四辺とも受像材料１０８の周辺部から突出した状態で重ね合わせられることになる。
【００５４】
以上より、一対の無端ベルト１２２、１２４によって重ね合わされた感光材料１６及び受像材料１０８は、重ね合わせられた状態のままで一対の無端ベルト１２２、１２４によって挟持搬送されるようになる。さらに、重ね合わされた感光材料１６と受像材料１０８が、一対の無端ベルト１２２、１２４間に完全に収まった時点で、一対の無端ベルト１２２、１２４は回転を一旦停止し、挟持した感光材料１６と受像材料１０８を加熱板１２６で加熱する。感光材料１６は、この挟持搬送時及び停止時において無端ベルト１２２を介して加熱板１２６により加熱されることとなり、加熱に伴って、可動性の色素を放出し、同時にこの色素が受像材料１０８の色素固定層に転写されて、受像材料１０８に画像が得られることになる。
【００５５】
さらに、一対の無端ベルト１２２、１２４に対して材料供給方向下流側には、剥離爪１２８が配置されており、この剥離爪１２８が一対の無端ベルト１２２、１２４間で挟持搬送される感光材料１６と受像材料１０８のうち、感光材料１６の先端部のみに係合し、一対の無端ベルト１２２、１２４間より突出したこの感光材料１６の先端部を受像材料１０８から剥離させることができる。
【００５６】
剥離爪１２８の左方には感材排出ローラ１４８が配置されており、剥離爪１２８に案内されながら左方へ移動される感光材料１６を、更に廃棄感光材料収容部１５０側へ搬送し得るようになっている。
【００５７】
この廃棄感光材料収容部１５０は、感光材料１６が巻き付けられるドラム１５２及び、このドラム１５２に一部が巻き掛けられているベルト１５４を有している。さらに、このベルト１５４は複数のローラ１５６に巻き掛けられており、これらローラ１５６の回転によって、ベルト１５４が廻され、これに伴ってドラム１５２が回転するようになっている。
【００５８】
従って、ローラ１５６の回転によりベルト１５４が廻された状態で、感光材料１６が送り込まれると、感光材料１６がドラム１５２の周りに集積できるようになっている。
【００５９】
他方、図１に示される如く、一対の無端ベルト１２２、１２４の下方から左方に向かって受像材料１０８を搬送し得るように受材排出ローラ１６２、１６４、１６６、１６８、１７０が順に配置されており、一対の無端ベルト１２２、１２４から排出された受像材料１０８は、これら受材排出ローラ１６２、１６４、１６６、１６８、１７０によって搬送されて、トレイ１７２へ排出されることになる。
【００６０】
以下に本実施の形態の作用を説明する。
まず、スキャナ部ＳＣＮにおける、原稿画像の読取制御について、説明する。
【００６１】
プラテンガラス２０２面上に原稿を載置し、押さえカバー２０４を閉じ、操作／表示パネルのキー操作によって読取開始が指示されると、スキャニングが開始される。このスキャニングでは、ＣＣＤラインセンサ２３０のダイナミックレンジを最小濃度域が確実に読み取ることができ、かつ飽和しないように調整されている。
【００６２】
上記調整後、反射原稿の場合は反射原稿用光源ユニット２１０を点灯し、第１のキャリッジ２１４及び第２のキャリッジ２２０を同期させて動作を開始する。また、透過原稿の場合は透過原稿用光源ユニット４０８を点灯し、第１のキャリッジ２１４及び第２のキャリッジ２２０を同期させて動作を開始する。
【００６３】
このとき、第１のキャリッジ２１４の搬送速度Ｖ1 と、第２のキャリッジ２２０の搬送速度Ｖ2 との関係は、Ｖ1 ＝２Ｖ2 である。これを維持することによって、原稿画像面からＣＣＤラインセンサ２３０の受光面までの光路長を常に一定に維持することができる。
【００６４】
画像データは、パソコン等のＲＡＭメモリやハードディスクに記録され、所定の画像処理が施された後、プリンタ部ＰＲＴへ送られる。
【００６５】
ここで、ハロゲンランプ４０４は主走査方向に長く、この長手方向に沿った発光量にむらがあると、これが直接ＣＣＤラインセンサ２３０の像読取むらの原因となる。
【００６６】
そこで、本実施の形態では、このハロゲンランプ４０４から発光した光を制限し、ハロゲンランプ４０４の長手方向に生じているむらを予め排除するようにしている。
【００６７】
すなわち、ハロゲンランプ４０４の光量の多い部分と少ない部分とを予め測定しておく。次に、各配光制限板４１２に対応する領域毎の光量平均値Ｌave(1)〜Ｌave(N)を演算し、この各平均値Ｌave(1)〜Ｌave(N)に基づいて、配光制限板４１２の配置又は非配置を決定する。なお、Ｎは履こう制限板４１２の数であり、本実施の形態では、Ｎ＝５となる。また、必要に応じて、配光制限板４１２の挿入状態の角度（当該平面鏡部４１０からの反射光を全部遮蔽するか、一部を原稿に案内するか）を設定する。
【００６８】
配光制限板４１２の配置手順は、配光制限板４１２の一方の平板部４１２Ａをスリット孔４１４へ挿入すると共に、平板部４１２Ｂをリレクタ４０６の外側面から突出したフランジ４１５にビス４１７によって固定して、保持する。
【００６９】
これにより、図３に示される如く、配光制限板４１２のリフレクタ４０６内側に位置する平板部４１２Ａによって、平面鏡部４１０からの反射光が遮蔽され、原稿へ到達する光を減光することができる。
【００７０】
このような配光制限板４１２をハロゲンランプ４０４の長手方向に沿って、ハロゲンランプ４０４の光量に応じた配置することにより、ハロゲンランプ４０４の長手方向にわたって均一の光量を得ることができる。このため、ＣＣＤラインセンサ２３０による画像読取むらを防止することができ、精度よく画像データを得ることができる。
【００７１】
なお、本実施の形態では、配光制限板４１２をハロゲンランプ４０４の長手方向に沿って５個配列したが、この数は多ければ多いほど細かい制御が可能である。しかし、逆に光量制御のための作業が煩雑となるため、これらを考慮して個数を決定する必要がある。また、１つの領域に１個の配光制限板４１２としたが、複数の配光制限板４１２を異なる平面鏡部４１０の対応させてもよい。
【００７２】
さらに、配光制限板４１２は、全て同一形状としたが、リフレクタ４０６の内部に挿入される平板部２３０に大小の孔を設けたり、先端部を櫛型や鋸型にカットしたり、それぞれに最適な加工を施してもよい。また、大小の孔を設けると共にこの孔に対応して可動シャッタを設け、このシャッタの開放度合いで制限する光量を制御してもよい。なお、このシャッタの開放は機械的であってもよいし、液晶シャッタ等を用いて電気的に透過率を変更できるようにしてもよい。
【００７３】
また、本実施の形態の説明において、配光制限板４１２を不透明な部材として考えたが、一部の光を透過する部材（透過率１％以上９９％未満）を用いてもよい。
【００７４】
さらに、本実施の形態では、配光制限板４１２を透過原稿用光源ユニット４０８のリフレクタ４０６に適用した例を挙げたが、反射原稿用光源ユニット２１０のリフレクタに適用することも可能である。
【００７５】
次に、プリンタ部ＰＲＴの動作を説明する。
感材マガジン１４がセットされた後には、ニップローラ１８が作動され、感光材料１６がニップローラ１８によって引き出される。感光材料１６が所定長さ引き出されると、カッタ２０が作動して、感光材料１６が所定長さに切断されると共に、その感光（露光）面を左方へ向けた状態で露光部２２へ搬送される。そして、この感光材料１６の露光部２２の通過と同時に露光装置３８が作動し、露光４２２に位置する感光材料１６へ画像が走査露光される。露光装置３８には、前述したスキャナＳＣＮ部で読み取った画像データがパソコンで画像処理されて入力されており、この入力されたデータに基づいて光源の光量が制御され、画像が走査露光される。光源としては、レーザ（半導体レーザ）を用いる場合には、デューティ制御によって光量が制御されたレーザビームの光軸を振り子の如く往復移動させることにより主走査を行い、感光材料１６の移動を副走査とすればよい。
【００７６】
また、光源として、ＬＥＤ等の主走査方向に配列してＬＥＤアレイを用いる場合には、ＬＥＤ光源を電流又は電圧制御して光量を制御し、１主走査を同時期に行うようにすればよい。
【００７７】
露光が終了すると、露光後の感光材料１６は、水塗布部５０に送られる。水塗布部５０において画像形成用溶媒としての水が塗布された感光材料１６は、搬送ローラ３４によって熱現像転写部１２０の一対の無端ベルト１２２、１２４間へ送り込まれる。
【００７８】
他方、感光材料１６へ走査露光されるに伴って、受像材料１０８も受材マガジン１０６からニップローラ１１０によって引き出されて搬送される。受像材料１０８が所定長さ引き出されると、カッタ１１２が作動して受像材料１０８が所定長さに切断される。
【００７９】
カッタ１１２の作動後は、切断された受像材料１０８がガイド板によって案内されながら搬送ローラ１３２、１３４、１３６、１３８によって搬送される。受像材料１０８の先端部が搬送ローラ１３８によって挟持されると、受像材料１０８は熱現像転写部１２０の直前で待機状態となる。
【００８０】
そして、前述のように感光材料１６が搬送ローラ３４によって一対の無端ベルト１２２、１２４間へ送り込まれるのに伴って、受像材料１０８の搬送が再開されて、一対の無端ベルト１２２、１２４間へ受像材料１０８が感光材料１６と一体的に送り込まれる。
【００８１】
この結果、感光材料１６と受像材料１０８が重ねられ、感光材料１６と受像材料１０８とが加熱板１２６により加熱されつつ挟持搬送されて、熱現像転写を行って画像を受像材料１０８に形成する。
【００８２】
さらに、一対の無端ベルト１２２、１２４からこれらが排出されると、受像材料１０８よりも所定長さ先行して搬送される感光材料１６の先端部に剥離爪１２８が係合し、感光材料１６の先端部を受像材料１０８から剥離する。この感光材料１６は、さらに感材排出ローラ１４８によって搬送され、廃棄感光材料収容部１５０内に集積される。この際、感光材料１６はすぐに乾燥するので、感光材料１６を乾燥させる為に、ヒータ類をさらに設ける必要がなくなる。
【００８３】
一方、感光材料１６と分離された受像材料１０８は、受材排出ローラ１６２、１６４、１６６、１６８、１７０によって搬送され、トレイ１７２へ排出される。
【００８４】
そして、複数枚の画像記録処理を実施する場合には、以上の工程が順次連続して行なわれる。
【００８５】
このように、一対の無端ベルト１２２、１２４に挟まれて熱現像転写処理されて所定の画像が形成（記録）された受像材料１０８は、一対の無端ベルト１２２、１２４から排出された後に、複数の受材排出ローラ１６２、１６４、１６６、１６８、１７０によって挟持搬送されて装置外のトレイ１７２へ排出される。
（変形例）
図５には、本発明の変形例が示されている。なお、上記実施の形態で説明した構成と同一の構成部分については、同一の符号を付し、その説明を省略する。
【００８６】
この変形例では、配光制限板４１２をビス４１７で固定したフランジ４１５の代わりに蝶番４１５を適用した点が特徴となっている。この蝶番４１５の軸を中心に配光制限板４１２を図５の想像線位置に回転することにより、対応する平面鏡部４１０からの反射光の一部を原稿へ案内することが可能となる（図５の斜線で示す領域参照）。
【００８７】
また、蝶番４１５は、所望の回転位置で図示しない保持手段により保持可能となっている。なお、保持手段としては、蝶番４１５の回転摩擦係数を大きくしたり、所望の回転位置でビス止めすることが考えられるが、このような手段に限定されるものではなく、所望の回転位置を保持することができればよい。また、蝶番４１５ではなく、比較的軟弱で可塑性を有する金属や樹脂板でリフレクタ４０６と配光制限板４１２とを連結してもよい。
【００８８】
ここで、図５に示される如く、配光制限板４１２のリフレクタ４０６の内側に位置する平板部４１２Ａがほぼ立設された状態（図５の実線状態）では、２番目の平面鏡部４１０から原稿へ至る光束のほとんどを制限することができる。すなわち、複数個の平面鏡部（本実施の形態では、左右対照に５対の平面鏡部）４１０の内の１つを遮蔽することにより、ハロゲンランプ４０４の全光量の反射光量分のさらに1 /10 の光量のみを制限することができる。
【００８９】
また、配光制限板４１２を蝶番４１６の回転軸を中心に図３の時計周り方向へ回転させることにより（図５の想像線位置参照）、２番目の平面鏡部４１０からの反射光の一部を原稿に案内することができ、微調整を行うことができる。
【００９０】
【発明の効果】
以上説明した如く請求項１に記載の発明では、スリット光の長手方向の光量変化を微調整することができ、固体撮像装置による読取精度を向上することができるという優れた効果を有する。
【００９１】
また、請求項２又は請求項３に記載の発明では、配光制限部材をさらに回転可能とし、この配光制限部材に対応する平面鏡部又は曲面鏡部による原稿への光をさらに細かく調整することができる。
【図面の簡単な説明】
【図１】本実施の形態に係る画像読取／記録装置の概略全体構成図である。
【図２】スキャナ部の上部を示す斜視図である。
【図３】透過原稿用光源ユニットの拡大図である。
【図４】透過原稿用光源ユニットの一部を示す斜視図である。
【図５】本発明の変形例に係る透過原稿用光源ユニットの拡大図である。
【符号の説明】
１０    画像読取／記録装置
ＳＣＮ    スキャナ部
ＰＲＴ    プリンタ部
２０２    プラテンガラス
２１０    反射原稿用光源ユニット
２１４    第１のキャリッジ
２２０    第２のキャリッジ
２３０    ＣＣＤラインセンサ（固体撮像素子）
４０４    ハロゲンランプ（光源）
４０６    リフレクタ
４０８    透過原稿用光源ユニット（照明ユニット）
４１０    平面鏡部
４１２    配光制限板（配光制限部材）
４１４    スリット孔
４１５    蝶番
【図１】
0003734929.tif 000002
【図２】
0003734929.tif 000003
【図３】
0003734929.tif 000004
【図４】
0003734929.tif 000005
【図５】
0003734929.tif 000006